(57)【要約】【課題】中空スラブに設置された円筒管内への水の浸入を防止すること。【解決手段】場所打ちコンクリート製の中空スラブに用いられる両端閉鎖の円筒管（１４）は、その両端間を伸びる空間（１８）を残して、その内周面が独立気泡の発泡プラスチックからなる被覆材（２２）で覆われている。【選択図】図１
2005042418.tif 000002
【特許請求の範囲】
【請求項１】
場所打ちコンクリート製の中空スラブに用いられる両端閉鎖の円筒管であって、前記円筒管の内周面が、その両端間を伸びる空間を残して、独立気泡の発泡プラスチックからなる被覆材で覆われている、円筒管。
【請求項２】
互いに間隔をおいて配置された請求項１に記載の複数の円筒管を含む、中空スラブ。
【発明の詳細な説明】
【技術分野】
【０００１】
本発明は、複数の空洞を有する鉄筋コンクリート床スラブ（中空スラブ）及び前記空洞を形成するために用いられる円筒管に関する。
【背景技術】
【０００２】
従来、場所打ちコンクリートにより形成された床スラブ中に空洞を規定すべくこれに埋設されるものとして、両端閉鎖の円筒管が用いられている。
【０００３】
ところで、前記円筒管は、中空スラブの重量軽減のため、例えば亜鉛メッキ鉄板のような薄板からなるものが採用されることがある。しかし、このような材質の円筒管は軽量である反面、例えば中空スラブの形成のための鉄筋の組立、配筋等の鉄筋工事中、先に設置された円筒管がこれに当たることがある鉄筋により損傷を受けることがある。また、円筒管の閉鎖端に密閉不良が存することがある。
【０００４】
円筒管の前記損傷や密閉不良は前記円筒管内への雨水のような水の浸入及びこれに伴う水の貯留を許し、これは、中空スラブの施工後における漏水を誘発するおそれがあり、好ましくない。
【特許文献１】特開２００１−１０７４９９号公報
【発明の開示】
【発明が解決しようとする課題】
【０００５】
本発明の目的は、中空スラブに設置された円筒管内への水の浸入を防止することにある。
【課題を解決するための手段】
【０００６】
本発明は、場所打ちコンクリート製の中空スラブに用いられる両端閉鎖の円筒管に関し、該円筒管の内周面が、その両端間を伸びる空間を残して、独立気泡の発泡プラスチックからなる被覆材で覆われている。
【０００７】
本発明は、また、中空スラブに関し、該中空スラブは互いに間隔をおいて配置された複数の前記円筒管を含む。
【発明の効果】
【０００８】
本発明によれば、場所打ちコンクリート製中空スラブの形成のために設置される円筒管の内周面が、水を通さない独立気泡の発泡プラスチックからなる被覆材で覆われていることから、例えば鉄筋工事中、前記円筒管の外周面が損傷することがあっても、また前記円筒管の端部における密閉性が十分でなかったとしても、前記被覆材により、前記損傷箇所又は前記端部を通しての雨水のような水の前記円筒管内へ浸入が阻止される。これにより、中空スラブ中における円筒管内への水の貯留を回避することができる。
【０００９】
また、前記被覆材が前記円筒管の内部に該円筒管の端部間を伸びる空間を残して形成されていることから、このような空間を残さないですなわち前記円筒管の内部を充填して被覆するとすれば必要となる被覆材と比べて、その使用量及びコストを低減することができる。また、前記円筒管内に残る空間を配線、配管のための空間として有効利用することができる。さらに、前記円筒管をダクトとして利用することが可能であり、この場合には前記被覆材が断熱材として機能し、これにより前記空間を流通する空気の熱損失が軽減される。
【発明を実施するための最良の形態】
【００１０】
図１を参照すると、本発明に係る円筒管を用いて形成された鉄筋コンクリート床スラブ（中空スラブ）が全体に符号１０で示されている。
【００１１】
中空スラブ１０は、予め設置された板状のスラブ型枠（図示せず）上に下端鉄筋１２、本発明に係る複数の円筒管１４及び上端鉄筋１６を順次配置した後、コンクリート１７を打設し、これを養生することにより形成される。
【００１２】
複数の円筒管１４は、前記スラブ型枠の上方の水平面上に、適当な保持手段（図示せず）により、互いに間隔をおいて配置される。各円筒管１４は、完成した中空スラブ１０中に空洞を規定する。
【００１３】
円筒管１４は、鋼製、鉄製、プラスチック製、紙製等の円管状の本体２０を含む。図示の例では、本体２０は、重量軽減のため、亜鉛メッキ板のような薄い（例えば厚さ０．４ｍｍの）鉄板を螺旋状に巻いてなる、空気ダクトに用いられるような管体からなる。
【００１４】
円筒管１４は、本体２０の開放両端をそれぞれ閉鎖すべくこれらの端部にそれぞれ密に嵌め込まれた、金属製、プラスチック製等の２つのキャップ（図示せず）を有する。
【００１５】
ところで、組立中における鉄筋や、これを行う作業員が使用する道具（例えばドライバ）や釘などによる円筒管の本体２０への突き刺さりによる損傷、前記キャップによる本体２０の密閉性の不具合等が、前記スラブ型枠上に設置された後における円筒管１４内への降雨等の浸入の原因となることがある。
【００１６】
このような雨水等からなる水の円筒管１４内への浸入を阻止するため、円筒管１４の内周面、より正確には本体２０の内周面の全部が、水を通さない独立気泡の発泡ポリスチレン、発泡ポリウレタンのような発泡プラスチック材料からなる被覆材２２で覆われている。
【００１７】
本体２０の内周面を覆う図示の被覆材２２は全体に円筒状を呈する。被覆材２２とこれが取り巻く中空部分すなわち本体２０の両端間を伸びる空間１８とが、実質的に、中空スラブ１０の前記空洞を規定する。
【００１８】
被覆材２２は、本体２０の内周面への前記発泡プラスチック材料の発泡吹付により、あるいは前記発泡プラスチック材料からなるシート（図示せず）を筒状にしたものを本体２０内にその開放一端から挿入し、これを本体２０の内周面に接着することにより配置することができる。後者における前記接着のため、例えば本体２０の内周面に予め接着剤を塗布しておく。被覆材２２の厚さ寸法は、例えば１〜２ｃｍに設定することができる。
【００１９】
本体２０の各端部への前記キャップの装着は、本体２０内への被覆材２２の配置後に行うことができる。
【００２０】
被覆材２２は本体２０の内周面の全部に接しているため、本体２０に生じることがある損傷（例えば孔、亀裂）を通しての前記本体２０内への雨水のような水の浸入を阻止する作用をなす。また、前記キャップによる本体２０の密閉不良に伴う該本体と前記キャップとの間のすき間からの水の浸入についても、被覆材２２の端面において、これを阻止することができる。
【００２１】
特に、中空スラブの形成のために前記スラブ型枠の上方に被覆材２２を含む円筒管１４を配置した後、コンクリート１７が打設されるまでの間における降雨に伴う円筒管１４内への水の浸入が阻止される。これにより、完成した中空スラブ１０内に前記空洞を規定する円筒管１４について、その内部に水を含まないものとすることができる。
【００２２】
また、本体２０の内周面の被覆は、筒状空間１８を残さないですなわち本体２０の内部に被覆材２２を充填することによって行うことも考えられる。しかし、筒状空間１８を残すことにより、残さない場合と比べて、被覆材２２の使用量及びコストの低減を図ることができ、しかも、円筒空間１８を配線、配管のための利用空間に供することができ、さらにダクト空間すなわち空気の流通空間として利用することができる。前記ダクトとしての利用については、被覆材２２が有する断熱機能が筒状空間１８を流通する空気の熱損失を軽減する。
【図面の簡単な説明】
【００２３】
【図１】円筒管を含む中空スラブの概略的な縦断面図である。
【符号の説明】
【００２４】
１０  中空スラブ
１４  円筒管
１８  円筒空間
２２  被覆材
【図１】
2005042418.tif 000003